(57)【要約】【課題】柱状体における貼り紙の貼り付け防止等して柱状体を保護する。【解決手段】本発明は、電柱Ｐへのアラミド繊維シート２９の施工方法であって、電柱Ｐの所定の領域の表面に接着樹脂を塗布する工程と、この接着樹脂の塗布された塗布領域に短尺のアラミド繊維シート２９を貼付し、この短尺のアラミド繊維シート２９の表面に接着樹脂を染み出させる工程と、長尺の帯状であるアラミド繊維シート２９の両面にシリコン樹脂３１ａを塗布する工程と、このシリコン樹脂３１ａを塗布したアラミド繊維シート２９を電柱Ｐの塗布領域に貼付する工程とを備える。【選択図】図１６
2009097177.tif 000002
【特許請求の範囲】
【請求項１】
既設の柱状体の外周表面に繊維シートを貼付し、当該柱状体を保護するときの柱状体への繊維シートの施工方法であって、
長尺の帯状である繊維シートの片面にシリコン樹脂を塗布した後に当該繊維シートをロール状に巻き込むことにより、当該繊維シートの両面にシリコン樹脂を塗布する工程と、
この両面にシリコン樹脂を塗布した繊維シートを前記柱状体に巻き付け貼付する工程と
を備えることを特徴とする柱状体への繊維シートの施工方法。
【請求項２】
既設の柱状体の壁面を開口し、この開口を利用した当該柱状体への補強施工後に当該開口に対し閉塞施工を施し、この閉塞処理領域を含む領域を保護するときの柱状体への繊維シートの施工方法であって、
前記柱状体の閉塞処理領域を含む第１の領域の表面に接着樹脂を塗布する工程と、
この接着樹脂の塗布された前記第１の領域に短尺の繊維シートを貼付し、この短尺繊維シートの表面に前記接着樹脂を染み出させる工程と、
長尺の帯状である繊維シートの両面にシリコン樹脂を塗布する工程と、
このシリコン樹脂を表裏両面に塗布した繊維シートを前記柱状体の第１の領域を含む第２の領域に貼付する工程と
を備えることを特徴とする柱状体への繊維シートの施工方法。
【請求項３】
既設の柱状体の壁面を開口し、この開口を利用した当該柱状体への補強施工後に当該開口に対し閉塞施工を施し、この閉塞処理領域を含む領域を保護するときの柱状体への繊維シートの施工方法であって、
前記柱状体の閉塞処理領域を含む第１の領域の表面に接着樹脂を塗布する工程と、
この接着樹脂の塗布された前記第１の領域に短尺の繊維シートを縦方向に貼付し、この短尺繊維シートの表面に前記接着樹脂を染み出させる工程と、
長尺の帯状である繊維シートの片側表面にシリコン樹脂を塗布した後に当該繊維シートをロール状に巻き込むことにより、当該繊維シートの表裏両面にシリコン樹脂を塗布する工程と、
このシリコン樹脂を表裏両面に塗布した繊維シートを前記柱状体の第１の領域を含む第２の領域に前記短尺の繊維シートと直行する横方向に当該柱状体を巻回しながら貼付する工程と
を備えることを特徴とする柱状体への繊維シートの施工方法。
【発明の詳細な説明】
【技術分野】
【０００１】
本発明は、例えば電柱等の柱状体の保護に適した柱状体への繊維シートの施工方法に関する。
【背景技術】
【０００２】
従来から既設の構造体、特に柱状体に対する繊維シートの施工方法は各種提案されてきている。
【０００３】
このような繊維シートの施工方法は、通常は、柱状体の補強を重点的に行うためのものであり、この補強された領域の保護まで配慮されることが無いのが一般的である（特許文献１、特許文献２及び特許文献３を参照）。
【０００４】
例えば、特許文献１に記載の発明は、既存ＲＣ柱の表面に弾性接着剤を塗布して絶縁フイルムを貼着し、次に接着剤を塗布して繊維シートを添付巻回し、さらに固化接着剤を塗布してＲＣ柱を補強するものである。
【０００５】
また、特許文献２の発明は、既設の鋼管柱内に充填材を充填した後、鋼管柱の外周面に帯材（アラミド繊維等）を巻設して、鋼管柱を補強するものである。
【０００６】
また特許文献３に記載の発明は、コンクリート柱状体の外周面に接着樹脂を塗布し、補強繊維シートを貼り付け、接着樹脂を前記補強繊維シートに含浸させ、この補強繊維シートの上に貼紙防止用のシートを貼り付けるものである。つまり補強繊維シート（芳香性ポリアラミド繊維）で補強した後に「貼紙防止用のシートを貼り付ける」旨の記載がある。
【特許文献１】特開平１０−４６８３５号
【特許文献２】特開２００５−１８０１２８号
【特許文献３】特開２００３−１２００４６号
【発明の開示】
【発明が解決しようとする課題】
【０００７】
しかしながら、上述した特許文献３に記載の「貼紙防止用のシート」は、請求項３にも記載があるように、「表面に凸凹」が形成されている合成樹脂が用いられている。つまり、この特許文献３に記載の貼紙防止処理は、別途「表面に凸凹」が形成された「貼紙防止用のシート」を予め施工現場に準備する必要があり、また施工時間の更なる短縮も求められている。
【０００８】
一方、電柱等の柱状体は、通常は通路に沿って、かつ目立つ位置に所定の間隔で設けられることから、チラシ等の貼り紙が日常的に行われている。
【０００９】
しかしながら、このような電柱に対する貼り紙は美観を損ねるばかりではなく、補強前の電柱の定期的な点検や、既に補強の完了した電柱の補強部分に対する保全状態の定期的な点検・確認作業を妨げるものとなっており、しばしば貼り紙の防止策の提供が望まれていた。
【００１０】
本発明は、このような技術的課題に鑑みてなされたもので、その目的は、繊維シートの貼り付け施工時間の短縮を計り、かつ柱状体を保護すると共に貼り紙の貼り付けを防止を廉価に実現することのできる柱状体への繊維シートの施工方法を提供することにある。
【課題を解決するための手段】
【００１１】
上記の課題を解決するために、請求項１の柱状体への繊維シートの施工方法は、既設の柱状体の外周表面に繊維シートを貼付し、当該柱状体を保護するときの柱状体への繊維シートの施工方法であって、長尺の帯状である繊維シートの片面にシリコン樹脂を塗布した後に当該繊維シートをロール状に巻き込むことにより、当該繊維シートの両面にシリコン樹脂を塗布する工程と、この両面にシリコン樹脂を塗布した繊維シートを前記柱状体に巻き付け貼付する工程とを備えることを要旨とする。
【００１２】
請求項１に記載の柱状体への繊維シートの施工方法にあっては、長尺の帯状である繊維シートの片面にシリコン樹脂を十分な量だけ塗布し、このシリコン樹脂の塗布後、速やかに繊維シートをロール状に巻き込む。これにより該繊維シートの片面（例えば表面）に塗布されたシリコン樹脂がもう片側面（例えば裏面）に半分量ほど移動して、繊維シートの両面にシリコン樹脂が塗布される。この両面にシリコン樹脂を塗布した繊維シートを前記柱状体に巻き付けることで、柱状体の表面を撥水性、離型性を有するシリコン樹脂で覆い、かつ強靱な繊維シートで柱状体を巻回する。
【００１３】
請求項２の柱状体への繊維シートの施工方法は、既設の柱状体の壁面を開口し、この開口を利用した当該柱状体への補強施工後に当該開口に対し閉塞施工を施し、この閉塞処理領域を含む領域を保護するときの柱状体への繊維シートの施工方法であって、前記柱状体の閉塞処理領域を含む第１の領域の表面に接着樹脂を塗布する工程と、この接着樹脂の塗布された前記第１の領域に短尺の繊維シートを貼付し、この短尺繊維シートの表面に前記接着樹脂を染み出させる工程と、長尺の帯状である繊維シートの両面にシリコン樹脂を塗布する工程と、このシリコン樹脂を表裏両面に塗布した繊維シートを前記柱状体の第１の領域を含む第２の領域に貼付する工程とを備えることを要旨とする。
【００１４】
請求項２に記載の柱状体への繊維シートの施工方法にあっては、既設の柱状体の壁面開口を利用した当該柱状体の補強施工後に、この開口を閉塞し、この閉塞処理領域を含む第１の領域の表面に接着樹脂を塗布する。この接着樹脂の塗布された前記第１の領域に短尺の繊維シートを貼付し、この短尺繊維シートの表面に前記接着樹脂を染み出させる。このシリコン樹脂を表裏両面に塗布した長尺の帯状繊維シートを柱状体の第１の領域を含む第２の領域に巻き付けることで、柱状体の表面を撥水性、離型性を有するシリコン樹脂で覆い、かつ強靱な繊維シートで柱状体を巻回する。
【００１５】
請求項３の柱状体への繊維シートの施工方法は、既設の柱状体の壁面を開口し、この開口を利用した当該柱状体への補強施工後に当該開口に対し閉塞施工を施し、この閉塞処理領域を含む領域を保護するときの柱状体への繊維シートの施工方法であって、前記柱状体の閉塞処理領域を含む第１の領域の表面に接着樹脂を塗布する工程と、この接着樹脂の塗布された前記第１の領域に短尺の繊維シートを縦方向に貼付し、この短尺繊維シートの表面に前記接着樹脂を染み出させる工程と、長尺の帯状である繊維シートの片側表面にシリコン樹脂を塗布した後に当該繊維シートをロール状に巻き込むことにより、当該繊維シートの表裏両面にシリコン樹脂を塗布する工程と、このシリコン樹脂を表裏両面に塗布した繊維シートを前記柱状体の第１の領域を含む第２の領域に前記短尺の繊維シートと直行する横方向に当該柱状体を巻回しながら貼付する工程とを備えることを要旨とする。
【００１６】
請求項３に記載の柱状体への繊維シートの施工方法にあっては、既設の柱状体の壁面開口を利用した当該柱状体の補強施工後に、この開口を閉塞し、この閉塞処理領域を含む第１の領域の表面に接着樹脂を塗布する。この接着樹脂の塗布された前記第１の領域に短尺の繊維シートを縦方向に貼付し、この短尺繊維シートの表面に前記接着樹脂を染み出させる。長尺の帯状である繊維シートの片面にシリコン樹脂を十分な量だけ塗布し、このシリコン樹脂の塗布後、速やかに繊維シートをロール状に巻き込む。これにより該繊維シートの片面（例えば表面）に塗布されたシリコン樹脂がもう片側面（例えば裏面）に半分量ほど移動して、繊維シートの両面にシリコン樹脂が塗布される。この両面にシリコン樹脂を表裏両面に塗布した繊維シートを前記柱状体に巻き付けることで、柱状体の表面を撥水性、離型性を有するシリコン樹脂で覆い、かつ強靱な繊維シートで柱状体を巻回する。
【発明の効果】
【００１７】
本発明によれば、耐熱性、耐寒性、耐候性に優れ、かつ表面張力が小さいため、撥水性、離型性を有するシリコン樹脂が柱状体表面に塗布されることから、貼り紙に塗布される接着剤に対する剥離が良く、貼り紙を剥がれ易くする効果が生じる。そのため、貼り紙が行われても剥がし易いことから貼り紙行為に対する保護（抑止力）とすることもできる。
【００１８】
また強靱な繊維シートを柱状体に巻回し、シリコン樹脂で固定することから柱状体を部分的に補強し保護することもできる。
【発明を実施するための最良の形態】
【００１９】
以下、本発明の実施の形態を図面を参照して説明する。
【００２０】
図１乃至図１６は、本発明に係る柱状体への繊維シートの施工方法の処理手順を工程毎に説明する図である。本実施形態における柱状体としては中空柱である各種鋼管柱（テーパーの無い鋼板柱、テーパーのあるパンザマスト（鋼板組立柱））やコンクリート柱（テーパーの有る電柱やテーパーのないコンクリート柱）が含まれ、中空であるか否かには捕らわれないものである。
【００２１】
図１に示す電柱Ｐは、本実施形態に係る繊維シートの巻回施工が行われる柱状体としてのコンクリート製の電柱Ｐである。また、その内部は補強工事の施工前は中空であり、図１は、該電柱Ｐの側面に開口された第１の作業用開口Ｈａと第２の作業用開口Ｈｂから電柱Ｐの中空部内部にアラミドロッドＬを挿入し、さらにモルタルを注入して電柱Ｐの補強作業が既に終了している状態を示している。
【００２２】
なお、ガイド棒Ｇはガイド棒固定治具Ｓａにより電柱Ｐの中心部分に配置され、またこのガイド棒Ｇによりロッド配置用治具Ｓｂの中心は電柱Ｐの中心位置に固定される。さらにこのロッド配置用治具により、ガイド棒Ｇを中心にして複数本、ここでは６本のアラミドロッドＬがほぼ等間隔に環状に配置される。
【００２３】
次に、図２を参照して、上記電柱Ｐの側面に開口された第１の作業用開口Ｈａと該第１の作業用開口Ｈａに対向する向かい側に開口された第２の作業用開口Ｈｂの閉塞処理について説明する。
【００２４】
本実施形態では第１の作業用開口Ｈａと第２の作業用開口Ｈｂ（以下、単に作業用開口Ｈと略記する）の２箇所を閉塞用プラスチック板１１と閉塞用金網１３と止水モルタル１５を用いて閉塞処理する。閉塞用プラスチック板１１の替わりに、穴あきステンレス板やパンチングメタル等を用いても良く、また閉塞用金網１３としては、鉄やステンレス製の金網、針金等を用いることができる。
【００２５】
次に、図３に示すように、少なくとも前記閉塞処理領域を含む第１の領域を含み、かつアラミド繊維シートを巻回する範囲の外周表面（第２の領域）を研磨機（サンダー）Ｓにより研磨する。続いて、図４に示すように、この研磨した領域、すなわち電柱研磨面Ｐｆの領域を上下から挟むようにマスキングカバー１７で覆い、マスキングテープ１９でこのマスキングカバー１７を留めて電柱Ｐの養生を行う。この後に電柱研磨面Ｐｆに対して、スポンジや刷毛等によりプライマを十分に塗布する。
【００２６】
図５は含浸接着樹脂の塗布面、すなわち含浸接着樹脂塗布面２１ａと含浸接着樹脂塗布面２１ｂの位置関係を示す図であり、図６は第１の作業用開口Ｈａに対する含浸接着樹脂塗布面２１ａを示す図であり、図７は第２の作業用開口Ｈｂに対する含浸接着樹脂塗布面２１ｂを示す図である。
【００２７】
これらから明らかなように、含浸接着樹脂塗布面２１ａは第１の作業用開口Ｈａを含み、かつ該開口の周囲に十分な接着領域を確保する大きさであり、同様に含浸接着樹脂塗布面２１ｂは第２の作業用開口Ｈｂを含み、かつ該開口の周囲に十分な接着領域を確保する大きさである。
【００２８】
これら含浸接着樹脂塗布面２１ａと含浸接着樹脂塗布面２１ｂのそれぞれをアラミド繊維シートの縦貼り範囲（第１の領域）として、例えばエポキシ系接着樹脂等の含侵接着樹脂をスポンジや刷毛等により塗布する。
【００２９】
続いて図８を参照するに、含侵接着樹脂を塗布した上にアラミド繊維シート２９を縦貼りする。この縦貼りしたアラミド繊維シート２９の表面から脱泡ローラ２５にて貼付けたアラミド繊維シート２９の表面に含侵接着樹脂が染み出るまでしごく。このとき、アラミド繊維シート２９の内側に空気が入ったり、ムラになったりしないようにすると良い。図９は第１の作業用開口Ｈａに対するアラミド繊維シート縦貼面２３ａを示す図であり、図１０は第２の作業用開口Ｈｂに対するアラミド繊維シート縦貼面２３ｂを示す図である。
【００３０】
次に、アラミド繊維シート２９の横巻き処理について説明する。まず、図１１を参照してアラミド繊維シート２９へのシリコン樹脂の塗布作業について説明する。
【００３１】
まず、電柱Ｐの中空内部にアラミドロッドＬやモルタル等を充填して電柱Ｐ内部の補強の完了した電柱Ｐの施工場所近くに設置した作業台上（若しくは路上）にビニルシート２７を敷き、そのビニルシート２７の一側端にロール状に巻回されたアラミド繊維シート２７を配置する。次に、このロール状のアラミド繊維シート２７を展開して、シリコン樹脂をコーキングガン３１にセットし、展開し広げたアラミド繊維シート２７にシリコン樹脂３１ａを絞り出す。
【００３２】
このコーキングガン３１から絞り出したシリコン樹脂３１ａをヘラ３３により、アラミド繊維シート２７の全面に均一に塗布する。このシリコン樹脂３１ｂをアラミド繊維シート２７の全面に塗布した後に、この展開したアラミド繊維シート２７をロール状に巻付ける。これによりアラミド繊維シート２７の表面塗布面に塗布したシリコン樹脂３１ｂはアラミド繊維シート２７の裏面側にも塗布された状態となる。このシリコン樹脂３１ｂの塗布作業を順次繰り返し、ロール状アラミド繊維シート２７の全長にわたってシリコン樹脂を塗布する。
【００３３】
次に、この表面と裏面の両面にシリコン樹脂３１ｂが塗布されたロール状のアラミド繊維シート２７を電柱Ｐに巻回する。
【００３４】
巻回作業に当たっては、まず図１２に示すように、シリコン樹脂を塗布したアラミド繊維シートを１周半だけ重ね巻きする。この１周半重ね巻きした後、図１３に示すように、徐々にアラミド繊維シート２７をずらし突合せでアラミド繊維シート２７が重ならないように螺旋状に巻付け、併せてヘラ３３によりアラミド繊維シート２７の空気ダマリと皺を取り除く。最後は図１４に示すように重ね巻きして仕上げる。
【００３５】
上述してきたように、両面にシリコン樹脂３１ｂが塗布されたアラミド繊維シート２９を巻回しただけだと、アラミド繊維シート２９の表面にはシリコン樹脂のムラ等は生じることがある。その場合には図１５に示すように、横巻きされたアラミド繊維シート２９へのシリコン樹脂の補充と均一化を行う。具体的には、例えば、シリコン樹脂の厚みの薄いところはさらにコーキングガン３１でシリコン樹脂３１ａを継ぎ足し、ヘラ３３で均一に仕上げるようにする。
【００３６】
さらに図１６に示すように、マスキングテープを撤去し、電柱表面に付着したシリコン樹脂及び周辺に飛散したシリコン樹脂があるときにはそれらを清掃して処理を終了する。なお、この硬化までにおおよそ１時間程度かかるため、その間の養生を適宜、行うようにすると良い。
【００３７】
このように電柱Ｐの表面を耐熱性、耐寒性、耐候性に優れ、かつ表面張力が小さいため、撥水性、離型性を有するシリコン樹脂で均一に覆うことにより、貼り紙に塗布される接着剤に対する剥離が良く、貼り紙を剥がれ易くすることができ、そのため、貼り紙が行われても自然に剥がれ、あるいは作業者によっても剥がし易いことから貼り紙行為に対する保護（抑止力）とすることもできる。またアラミド繊維シートを電柱に巻回することから電柱の補強的な保護も行うことができる。
【００３８】
さらにはエポキシ系接着樹脂等の接着樹脂を耐候性に優れたシリコン樹脂で覆うことになることから、接着樹脂の接着特性を高い状態で保持することを可能とすると共に、アラミド繊維シートで巻回し固めることからさらに電柱の補強をも行うことが可能となる。
【００３９】
上述してきたように、本実施形態によれば、アラミド繊維シートを電柱に貼り付けるために要する施工時間の短縮を計ることが可能となり、かつ電柱の作業用開口部分を含めた部分を補強し保護すると共に貼り紙の貼り付けを防止を廉価に実現することができる。
【００４０】
なお、以上の説明においては、柱状体としての電柱Ｐの補強の際に電柱側面に開口された開口部に対して施された閉塞処理領域を保護する場合を例にして説明したが、本発明は電柱及びその閉塞処理領域に限定されることなく、任意の柱状体の任意の領域に対して適宜変更して提供することが可能である。
【図面の簡単な説明】
【００４１】
【図１】本発明に掛かる繊維シートの巻回施工が行われる中空柱の断面を模式的に示す図である。
【図２】作業用開口の閉塞処理が施された電柱Ｐの断面を模式的に示す図である。
【図３】アラミド繊維シートを巻回する範囲の電柱表面を研磨する状態を示す図である。
【図４】マスキングテープを巻付けた電柱の外観を示す図である。
【図５】含浸接着樹脂の塗布面を示す図である。
【図６】第１の作業用開口に対する含浸接着樹脂塗布面を示す図である。
【図７】第２の作業用開口に対する含浸接着樹脂塗布面を示す図である。
【図８】アラミド繊維シート縦貼り施工の施工状況を示す図である。
【図９】第１の作業用開口に対するアラミド繊維シート縦貼面を示す図である。
【図１０】第２の作業用開口に対するアラミド繊維シート縦貼面を示す図である。
【図１１】アラミド繊維シートへのシリコン樹脂の塗布作業を示す図である。
【図１２】アラミド繊維シートの横巻き手順を説明するための図である。
【図１３】アラミド繊維シートの横巻き手順を説明するための図である。
【図１４】アラミド繊維シートの横巻き手順を説明するための図である。
【図１５】横巻きされたアラミド繊維シートへのシリコン樹脂の補充と均一化の手順を説明するための図である。
【図１６】マスキングテープを除去した状態を示す図である。
【符号の説明】
【００４２】
１１…閉塞用プラスチック板（穴あきステンレス板、パンチングメタル）
１３…閉塞用金網（鉄・ステンレス製）
１５…止水モルタル
１７…マスキングテープ
１９…マスキングカバー
２１…含浸接着樹脂塗布面
２３…アラミド繊維シート縦貼面
２５…脱泡ローラ
２７…ビニールシート
２９…アラミド繊維シート
３１…コーキングガン
３１ａ…シリコン樹脂
３３…ヘラ
Ｐ…電柱
Ｐｆ…電柱研磨面
Ｇ…ガイド棒
Ｈ…作業用開口
Ｈａ…第１の作業用開口
Ｈｂ…第２の作業用開口
Ｌ…アラミドロッド
Ｓ…研磨機（サンダー）
【図１】
2009097177.tif 000003
【図２】
2009097177.tif 000004
【図３】
2009097177.tif 000005
【図４】
2009097177.tif 000006
【図５】
2009097177.tif 000007
【図６】
2009097177.tif 000008
【図７】
2009097177.tif 000009
【図８】
2009097177.tif 000010
【図９】
2009097177.tif 000011
【図１０】
2009097177.tif 000012
【図１１】
2009097177.tif 000013
【図１２】
2009097177.tif 000014
【図１３】
2009097177.tif 000015
【図１４】
2009097177.tif 000016
【図１５】
2009097177.tif 000017
【図１６】
2009097177.tif 000018